(57)【要約】【課題】操作集中端末において、操作対象の機器を容易に操作することができると共に、操作集中端末の操作対象の機器の登録設定作業を容易に行うことができる通信システムを提供する。【解決手段】通信システムAは、負荷Ｆを制御する操作スイッチ端末２と、操作スイッチ端末２と通信可能に接続されている操作集中端末１とを備え、操作集中端末１は、操作スイッチ端末２の端末データを記憶する記憶部１１と、操作スイッチ端末２の操作部２１を表示する表示部１２と、記憶部１１に記憶されている端末データを取得して表示部１２に操作部２１を表示する制御部１３と、表示部１２に表示された操作部２１に対して操作された場合に操作信号を操作スイッチ端末２へ送信する通信部１４とを有し、操作スイッチ端末２は、前記操作信号を受信した場合に操作内容に応じた負荷制御を行う通信制御部２２を有するものである。【選択図】図１
2009081536.tif 000002
【特許請求の範囲】
【請求項１】
操作部の操作に応じて負荷を制御する操作スイッチ端末と、一又は複数の操作スイッチ端末と互いに通信可能に接続されている操作集中端末とを備え、操作集中端末は、操作スイッチ端末の端末データを予め記憶しておく記憶部と、操作スイッチ端末の操作部の外観を表示する表示部と、記憶部に記憶されている操作部の外観データを含んだ端末データを取得して表示部に操作部を表示する制御部と、表示部に表示された操作部に対して操作された場合に操作信号を操作スイッチ端末へ送信する通信部とを有し、操作スイッチ端末は、前記操作信号を受信した場合に操作内容に応じた負荷制御を行う通信制御部を有することを特徴とする通信システム。
【請求項２】
記憶部に記憶される前記端末データは、前記負荷制御の内容を決定する設定データを含むものであって、制御部は、前記設定データを表示部に表示して画面上で設定データを変更可能とするものであることを特徴とする請求項１記載の通信システム。
【請求項３】
制御部は、操作スイッチ端末による負荷制御状態を表示部に表示するものであることを特徴とする請求項１又は２記載の通信システム。
【請求項４】
制御部は、前記操作信号を予め設定された時刻に通信部を介して操作スイッチ端末へ送信するものであることを備えたことを特徴とする請求項１乃至３のいずれか一項に記載の通信システム。
【請求項５】
制御部は、操作スイッチ端末の設置場所を表示部に表示するものであることを特徴とする請求項１乃至４のいずれか一項に記載の通信システム。
【発明の詳細な説明】
【技術分野】
【０００１】
本願発明は、負荷を制御する操作部を有した通信機器の操作及びシステムの設定に関するものである。
【背景技術】
【０００２】
従来から、特開２００２−３００６８０号公報（特許文献１）に示されるように、複数の機器の状態を同時に表示することができる表示部を有する集中コントローラ（操作集中端末）において、前記表示部上にあって前記複数の機器のそれぞれの状態を表示するための領域に対する操作可能部とを相似させることによって、スイッチと操作との関係を直感的にわかりやすくすることができ、効率的かつ容易に機器を集中操作することができる通信システムが知られている。
【特許文献１】特開２００２−３００６８０号公報
【発明の開示】
【発明が解決しようとする課題】
【０００３】
しかし、上記従来例では、集中コントローラ（操作集中端末）に表示される操作部は、実際の対象機器の操作部分とは形状が異なることが多く、操作部に各機器の名称を記載するなどして、対象機器と操作部との関係を明記することが必要であり、集中コントローラ（操作集中端末）での操作方法についても実際の機器の操作とは異なるので、操作手順を把握することが困難な場合があった。
【０００４】
また、集中コントローラ（操作集中端末）に表示される操作部の設定については、接続される機器が決定された後に、それぞれの機器のデータの基づいて操作部のデザインを作成したり、対象の機器に対応した設定データを登録して機器への操作内容を設定することが必要であり、集中コントローラ（操作集中端末）の設定作業が煩雑なものであった。
【０００５】
本願発明は、上記背景技術に鑑みて発明されたものであり、その目的は、操作集中端末において、操作対象の機器を容易に把握して操作することができると共に、操作集中端末の操作対象の機器の登録設定作業を容易に行うことができる通信システムを提供することを課題とするものである。
【課題を解決するための手段】
【０００６】
上記課題を解決するために、本願請求項１記載の発明では、操作部の操作に応じて負荷を制御する操作スイッチ端末と、一又は複数の操作スイッチ端末と互いに通信可能に接続されている操作集中端末とを備え、操作集中端末は、操作スイッチ端末の端末データを予め記憶しておく記憶部と、操作スイッチ端末の操作部の外観を表示する表示部と、記憶部に記憶されている操作部の外観データを含んだ端末データを取得して表示部に操作部の外観を表示する制御部と、表示部に表示された操作部に対して操作された場合に操作信号を操作スイッチ端末へ送信する通信部とを有し、操作スイッチ端末は、前記操作信号を受信した場合に操作内容に応じた負荷制御を行う通信制御部を有することを特徴としている。
【０００７】
本願請求項２記載の発明では、上記請求項１記載の通信システムにおいて、記憶部に記憶される前記端末データは、前記負荷制御の内容を決定する設定データを含むものであって、制御部は、前記設定データを表示部に表示して画面上で設定データを変更可能とするものであることを特徴としている。
【０００８】
本願請求項３記載の発明では、上記請求項１又は２記載の通信システムにおいて、制御部は、操作スイッチ端末による負荷制御状態を表示部に表示するものであることを特徴としている。
【０００９】
本願請求項４記載の発明では、上記請求項１乃至３のいずれか一項に記載の通信システムにおいて、制御部は、前記操作信号を予め設定された時刻に通信部を介して操作スイッチ端末へ送信するものであることを備えたことを特徴としている。
【００１０】
本願請求項５記載の発明では、上記請求項１乃至４のいずれか一項に記載の通信システムにおいて、制御部は、操作スイッチ端末の設置場所を表示部に表示するものであることを特徴としている。
【発明の効果】
【００１１】
本願請求項１記載の発明の通信システムにおいては、操作部の操作に応じて負荷を制御する操作スイッチ端末と、一又は複数の操作スイッチ端末と互いに通信可能に接続されている操作集中端末とを備え、操作集中端末は、操作スイッチ端末の操作部を表示する表示部と、表示部に表示された操作部に対して操作された場合に操作信号を操作スイッチ端末へ送信する通信部とを有し、操作スイッチ端末は、前記操作信号を受信した場合に操作内容に応じた負荷制御を行う通信制御部を有しているので、使用者は操作集中端末を操作することによって、負荷を制御することができる。このことによって、特に操作スイッチ端末が複数ある場合に、それぞれの操作スイッチ端末の設置場所での操作を行うことなく、一箇所で複数の操作スイッチ端末の操作を行うことができる。また、操作集中端末は、操作スイッチ端末の端末データを予め記憶しておく記憶部と、記憶部に記憶されている操作部の外観データを含んだ端末データを取得して表示部に操作部を表示する制御部とを有しているので、操作集中端末において、操作スイッチ端末の設定登録及び表示部へ表示する操作部の設定が非常に容易に行うことができる。さらに、操作スイッチ端末の操作部の外観を表示するので、操作対象である操作スイッチ端末を容易に把握して操作することができると共に、操作スイッチ端末を操作することと同様の感覚で操作が可能であり、操作性を向上させることができる。
【００１２】
本願請求項２記載の発明に通信システムにおいては、特に、記憶部に記憶される前記端末データは、前記負荷制御の内容を決定する設定データを含むものであって、制御部は、前記設定データを表示部に表示して画面上で設定データを変更可能とするものであるので、操作集中端末によって操作スイッチ端末の設定データの設定及び変更を行うことができる。このことによって、特に操作スイッチ端末が複数ある場合に、それぞれの操作スイッチ端末の設置場所での設定操作を行うことなく、一箇所で複数の操作スイッチ端末の設定を行うことができ、システムの構築作業を削減することができる。
【００１３】
本願請求項３記載の発明に通信システムにおいては、特に、制御部は、操作スイッチ端末による負荷制御状態を表示部に表示するものであるので、操作集中端末によって負荷の制御状態を確認することができる。特に操作スイッチ端末が複数ある場合にそれぞれの操作スイッチ端末の設置場所で負荷の制御状態を確認することなく、一箇所で複数の負荷の制御状態を確認することができる。
【００１４】
本願請求項４記載の発明に通信システムにおいては、特に、制御部は、前記操作信号を予め設定された時刻に通信部を介して操作スイッチ端末へ送信するものであるので、負荷に対する様々なスケジュール制御を操作集中端末で設定することができる。
【００１５】
本願請求項５記載の発明に通信システムにおいては、特に、制御部は、操作スイッチ端末の設置場所を表示部に表示するものであるので、操作集中端末を操作する場合に、操作対象となる操作スイッチ端末の設置場所を確認して操作することができる。このことによって、特に操作スイッチ端末が複数ある場合には、操作対象の操作スイッチ端末を容易に確認することができる。
【発明を実施するための最良の形態】
【００１６】
図１〜図５は、本願発明の第１の実施形態である通信システムを示している。通信システムAは、操作部２１の操作に応じて負荷Ｆを制御する操作スイッチ端末２と、一又は複数の操作スイッチ端末２と互いに通信可能に接続されている操作集中端末１とを備え、操作集中端末１は、操作スイッチ端末２の端末データを記憶する記憶部１１と、操作スイッチ端末２の操作部２１を表示する表示部１２と、記憶部１１に記憶されている操作部２１のデータを含んだ端末データを取得して表示部１２に操作部２１を表示する制御部１３と、表示部１２に表示された操作部２１に対して操作された場合に操作信号を操作スイッチ端末２へ送信する通信部１４とを有し、操作スイッチ端末２は、前記操作信号を受信した場合に操作内容に応じた負荷制御を行う通信制御部２２を有するものである。また、記憶部１１に記憶される前記端末データは、前記負荷制御の内容を決定する設定データを含むものであって、制御部１３は、前記設定データを表示部１２に表示して画面上で設定データを変更可能とするものである。また、制御部１３は、操作スイッチ端末２による負荷制御状態を表示部１２に表示するものである。また、制御部１３は、前記操作信号を予め設定された時刻に通信部１４を介して操作スイッチ端末２へ送信するものである。また、制御部１３は、操作スイッチ端末２の設置場所を表示部１２に表示するものである。
【００１７】
以下、この実施形態の通信システムをより具体的詳細に説明する。本実施形態の通信システムＡは、図１（ａ）に示すように、複数の操作スイッチ端末２が操作集中端末１と通信可能に接続されている。この接続形態としては、有線であっても、無線であってもよいが、本実施形態では、有線による通信接続の形態を示している。
【００１８】
操作スイッチ端末２は、住戸の各部屋に設置されて、負荷Ｆである照明器具をオンオフ制御や調光制御することのできる照明制御用のスイッチ端末である。図１（ａ）に示した複数の操作スイッチ端末２は、それぞれの制御対象の負荷Ｆである照明器具が設置されている部屋の壁面などに設置されている。ここで、本実施形態では、負荷Ｆとして照明器具を例にして説明しているが、これに限定されるものではなく、空調装置や換気扇などであってもよい。また、住戸に設置される場合に限定されるものではなく、事務所や商業施設などに設置される場合であってもよい。
【００１９】
操作スイッチ端末２は、図１（ａ）及び（ｂ）に示すように、前面に負荷Ｆを操作することができる操作部２１を備えている。操作部２１は、照明器具をオンオフするプッシュオンプッシュオフ型のスイッチであったり、照明器具の照度を変更することができる調光スイッチなどである。
【００２０】
さらに、操作スイッチ端末２は、操作集中端末１との間で通信することができる通信制御部２２を有している。通信制御部２２は、操作部２１が操作されて負荷Ｆを制御した場合に、制御結果を操作集中端末１へ送信することができるものである。また、操作集中端末１からの操作信号を受信して操作信号の内容に応じた制御を負荷Ｆに対して行うことができるものである。
【００２１】
操作集中端末１は、図１（ａ）及び（ｃ）に示すように、予め操作スイッチ端末１の種々端末データを記憶しておく記憶部１１と、操作スイッチ端末２の操作部２１を表示する表示部１２と、記憶部１１に記憶されている操作部２１の外観データを含んだ端末データを取得して表示部１２に操作部２１を表示する制御部１３と、表示部１２に表示された操作部２１に対して操作された場合に操作信号を操作スイッチ端末２へ送信する通信部１４とを備えている。操作集中端末１は、操作スイッチ端末２と有線で通信接続されており、住戸のいずれかの箇所の壁面などに設置されている。
【００２２】
記憶部１１は、予め操作集中端末２と通信接続される操作スイッチ端末２の種々端末データを記憶しておくことができ、端末データには、操作スイッチ端末２の操作部２１の外観データと、負荷Ｆを制御する内容を決定する設定データとを含むものである。
【００２３】
ここで、外観データは、操作スイッチ端末２の前面に配置されている操作部２１の正面から見た外観図又は外観の画像であり、当該操作部の外観は表示部１２の外観表示部１２ｈによって表示される。
【００２４】
また、設定データとは、以下に説明する操作スイッチ端末２の機能を設定するデータである。例えば、操作スイッチ端末２が複数の負荷Ｆをグループ登録して一の操作部２１の操作によって複数の登録された負荷Ｆの制御を行うことができるものである場合に、この負荷Ｆのグループ登録を行うデータや、複数の他の操作スイッチ端末２と通信して、この複数の操作スイッチ端末２をグループ登録して一の操作部２１の操作によって複数の他の操作スイッチ端末を操作したことと同様の制御を実行することができるものである場合に、この他の操作スイッチ端末２のグループ登録を行うデータや、操作スイッチ端末が照明器具の調光を行うものである場合に、調光制御を完了するまでのフェード時間を設定するデータや、操作スイッチ端末２の操作部２１を操作してから負荷Ｆの制御を開始するまでの遅れ時間を設定するデータなどである。
【００２５】
制御部１３は、記憶部１１より端末データを取得して、操作スイッチ端末２の外観データを用いて表示部１２の外観表示部１２ｈに各操作スイッチ端末２の操作部２１の外観を表示させるものである。なお、表示部１２に表示される操作スイッチ端末２は、一台でも複数台でもどちらでもよい。ここで、表示部１２はタッチパネルで構成されており、外観表示部１２ｈに表示された操作スイッチ端末２の操作部２１の外観を操作することができる。さらに、左右の選択キー１２ａ及び１２ｂによって該当する操作スイッチ端末２を順次画面に表示させることができるものである。制御部１３は、表示部１２より操作内容を受信して操作信号を通信部１４を介して、該当する操作スイッチ端末２へ送信するものである。
【００２６】
また、各操作スイッチ端末２の操作部２１によって操作された操作内容は、通信制御部２２によって操作集中端末１へ操作信号として送信され、制御部１３は通信部１４を介して前記操作信号を受信し、操作内容に基づいて表示部１２に表示されている操作部２１の外観の表示を変更するものである。例えば、操作部２１の前面に照明器具のオンオフ状態をＬＥＤの点灯パターン（例えば、点灯と消灯や点灯色の変更など）によって表示している場合、このＬＥＤの点灯パターンと同様の表示を表示部１２で表示させることとなる。
【００２７】
次に、操作集中端末１での操作スイッチ端末２の設定登録の操作について説明する。制御部１３は記憶部１１に予め記憶されている操作スイッチ端末２の端末データ一覧を表示部１２に表示する。表示部１２に表示された端末データ一覧より該当するデータを選択して、関連付ける操作スイッチ端末２の通信アドレスと共に設定登録する。
【００２８】
さらに、前記設定データについても表示部１２に表示させて設定登録することができる。図２に示すように、該当する操作スイッチ端末２を表示させ、設定キー１２ｃを選択する。この場合、操作スイッチ端末２が有する設定内容が次に表示される。図３は、操作スイッチ端末２の操作部２１を操作してから負荷Ｆの制御を開始するまでの遅れ時間を設定する場合の画面表示を示したものである。この場合には設定上下キー１２ｄを用いて遅れ時間を設定することができる。また、図４は、操作スイッチ端末が照明器具の調光を行うものである場合に、調光制御を完了するまでのフェード時間を設定する場合の画面表示を示したものである。この場合には設定上下キー１２ｅを用いてフェード時間を設定することができる。
【００２９】
また、各操作スイッチ端末２がどこに設置されている端末であるかの表示を行うことができる。図１に示すように、設置場所表示部１２ｆには操作スイッチ端末２がどの部屋に設置されているものであるかを表示できるものであり、設定データを設定する際に、設置場所の名称も併せて登録することができる。
【００３０】
さらに、操作集中端末１の制御部１３は、各操作スイッチ端末２をスケジュール管理する機能を有しており、図５に示すように、表示部１３にスケジュール設定の画面を表示させることができ、画面上での設定が可能である。この場合には設定上下キー１２ｇを用いて、例えば照明器具を点灯させる時刻及び照明器具の明るさを設定することができる。
【００３１】
したがって、操作部２１の操作に応じて負荷Ｆを制御する操作スイッチ端末２と、一又は複数の操作スイッチ端末２と互いに通信可能に接続されている操作集中端末１とを備え、操作集中端末１は、操作スイッチ端末２の操作部２１を表示する表示部１２と、表示部１２に表示された操作部２１に対して操作された場合に操作信号を操作スイッチ端末２へ送信する通信部１４とを有し、操作スイッチ端末２は、前記操作信号を受信した場合に操作内容に応じた負荷制御を行う通信制御部２２を有しているので、使用者は操作集中端末１を操作することによって、負荷Ｆを制御することができる。このことによって、特に操作スイッチ端末２が複数ある場合に、それぞれの操作スイッチ端末２の設置場所での操作を行うことなく、一箇所で複数の操作スイッチ端末２の操作を行うことができる。また、操作集中端末１は、操作スイッチ端末２の端末データを記憶する記憶部１１と、記憶部１１に記憶されている操作部２１のデータを含んだ端末データを取得して表示部１２に操作部２１を表示する制御部１３とを有しているので、操作集中端末１において、操作スイッチ端末２の設定登録及び表示部１２へ表示する操作部２１の設定が非常に容易に行うことができる。さらに、操作スイッチ端末２の操作部２１の外観を表示するので、操作対象である操作スイッチ端末２を容易に把握して操作することができると共に、操作スイッチ端末２を操作することと同様の感覚で操作が可能であり、操作性を向上させることができる。
【００３２】
さらに、記憶部１１に記憶される前記端末データは、前記負荷制御の内容を決定する設定データを含むものであって、制御部１３は、前記設定データを表示部１２に表示して画面上で設定データを変更可能とするものであるので、操作集中端末１によって操作スイッチ端末２の設定データの設定及び変更を行うことができる。このことによって、特に操作スイッチ端末２が複数ある場合に、それぞれの操作スイッチ端末２の設置場所での設定操作を行うことなく、一箇所で複数の操作スイッチ端末２の設定を行うことができ、システムの構築作業を削減することができる。
【００３３】
また、制御部１３は、操作スイッチ端末２による負荷制御状態を表示部１２に表示するものであるので、操作集中端末１によって負荷Ｆの制御状態を確認することができる。特に操作スイッチ端末２が複数ある場合にそれぞれの操作スイッチ端末２の設置場所で負荷Ｆの制御状態を確認することなく、一箇所で複数の負荷Ｆの制御状態を確認することができる。
【００３４】
そして、制御部１３は、前記操作信号を予め設定された時刻に通信部１４を介して操作スイッチ端末２へ送信するものであるので、負荷Ｆに対する様々なスケジュール制御を操作集中端末１で設定することができる。
【００３５】
また、制御部１３は、操作スイッチ端末２の設置場所を表示部１２に表示するものであるので、操作集中端末１を操作する場合に、操作対象となる操作スイッチ端末２の設置場所を確認して操作することができる。このことによって、特に操作スイッチ端末２が複数ある場合には、操作対象の操作スイッチ端末２を容易に確認することができる。
【図面の簡単な説明】
【００３６】
【図１】本願発明の実施形態である通信システムにおける（ａ）システム構成図、（ｂ）操作スイッチ端末のブロック図、（ｃ）操作集中端末のブロック図である。
【図２】同通信システムの操作集中端末における設定操作画面である。
【図３】同通信システムの操作集中端末における操作スイッチ端末の制御の遅れ時間を設定する設定操作画面である。
【図４】同通信システムの操作集中端末における操作スイッチ端末の調光制御のフェード時間を設定する設定操作画面である。
【図５】同通信システムの操作集中端末におけるスケジュール制御を設定する設定操作画面である。
【符号の説明】
【００３７】
１  操作集中端末
１１  記憶部
１２  表示部
１３  制御部
１４  通信部
２  操作スイッチ端末
２１  操作部
２２  通信制御部
Ａ  通信システム
【図１】
2009081536.tif 000003
【図２】
2009081536.tif 000004
【図３】
2009081536.tif 000005
【図４】
2009081536.tif 000006
【図５】
2009081536.tif 000007